(57)【要約】【課題】複数の光源を用いて画像を投写する場合の画像のちらつきを抑制することが可能なプロジェクタ等を提供すること。【解決手段】プロジェクタ１００が、複数のランプ１２０と、当該ランプ１２０を駆動する複数の駆動部１１０を有し、マスターとして駆動部１１０−１が、スレーブとして機能する駆動部１１０−２、１１０−３に自己の動作クロックまたは当該動作クロックの位相を示す位相情報を出力し、駆動部１１０−２、１１０−３が、前記動作クロックまたは前記位相情報に基づき、ランプ１２０−２、１２０−３を駆動する。【選択図】図１
2009069598.tif 000002
【特許請求の範囲】
【請求項１】
複数の光源と、当該光源を駆動する複数の駆動部とを有するプロジェクタにおいて、
前記複数の駆動部のうちのマスターとして機能するマスター駆動部は、前記複数の駆動部のうちのスレーブとして機能するスレーブ駆動部に自己の動作クロックまたは当該動作クロックの位相を示す位相情報を出力し、
前記スレーブ駆動部は、前記動作クロックまたは前記位相情報に基づき、自己の動作クロックを調整して前記光源を駆動することを特徴とするプロジェクタ。
【請求項２】
複数の光源と、当該光源を駆動する複数の駆動部と、当該複数の駆動部を制御する制御部とを有するプロジェクタにおいて、
前記複数の駆動部のうちのマスターとして機能するマスター駆動部は、前記制御部に自己の動作クロックまたは当該動作クロックの位相を示す位相情報を出力し、
前記制御部は、前記複数の駆動部のうちのスレーブとして機能するスレーブ駆動部に前記動作クロックまたは前記位相情報を出力し、
前記スレーブ駆動部は、前記動作クロックまたは前記位相情報に基づき、自己の動作クロックを調整して前記光源を駆動することを特徴とするプロジェクタ。
【請求項３】
請求項１に記載のプロジェクタにおいて、
前記マスター駆動部は、前記スレーブ駆動部に前記マスター駆動部の動作クロックの周期を示す周期情報と、前記位相情報とを出力し、
前記スレーブ駆動部は、前記周期情報と、前記位相情報とに基づき、前記スレーブ駆動部の動作クロックを調整して前記光源を駆動することを特徴とするプロジェクタ。
【請求項４】
請求項２に記載のプロジェクタにおいて、
前記マスター駆動部は、前記制御部に前記マスター駆動部の動作クロックの周期を示す周期情報と、前記位相情報とを出力し、
前記制御部は、前記スレーブ駆動部に前記周期情報と、前記位相情報とを出力し、
前記スレーブ駆動部は、前記周期情報と、前記位相情報とに基づき、前記スレーブ駆動部の動作クロックを調整して前記光源を駆動することを特徴とするプロジェクタ。
【請求項５】
請求項１〜４のいずれかに記載のプロジェクタにおいて、
前記マスター駆動部は、光変調器を駆動する駆動部の動作クロックに関する情報に基づき、前記マスター駆動部の動作クロックを調整することを特徴とするプロジェクタ。
【請求項６】
請求項１〜５のいずれかに記載のプロジェクタにおいて、
前記複数の光源から出射される光を集光する集光部と、
前記集光部から出射される光を光源として、画像を投写する投写部と、
を含むことを特徴とするプロジェクタ。
【請求項７】
それぞれが画像投写用の個別の光源を駆動する複数の駆動部による同期方法において、
前記複数の駆動部のうちのマスターとして機能するマスター駆動部は、自己の動作クロックまたは当該動作クロックの位相を示す位相情報を生成し、
前記スレーブ駆動部は、前記動作クロックまたは前記位相情報に基づき、自己の動作クロックを調整して前記光源を駆動することを特徴とする同期方法。
【発明の詳細な説明】
【技術分野】
【０００１】
本発明は、複数の光源の駆動を同期させるためのプロジェクタおよび同期方法に関する。
【背景技術】
【０００２】
特開２００５−３００６５３号公報に記載されているように、複数の光源を用いて画像を投写するプロジェクタが提案されている。このように、複数の光源を用いて画像が投写される場合、各光源の駆動に関する同期が取れていないと画像のちらつきが発生する可能性がある。画像のちらつきを抑制する方法として、特開平１１−１９４３１７号公報では、液晶表示装置のバックライトとして機能する複数の光源の点灯制御を行うことが記載されている。
【特許文献１】特開２００５−３００６５３号公報
【特許文献２】特開平１１−１９４３１７号公報
【発明の開示】
【発明が解決しようとする課題】
【０００３】
しかし、一般的に、プロジェクタの光源の場合、液晶表示装置のバックライトとは異なり、複数の光源から出射される光を集光する形態が採用されているため、特開平１１−１９４３１７号公報の手法をそのまま採用することはできない。
【０００４】
本発明の目的は、複数の光源を用いて画像を投写する場合の画像のちらつきを抑制することが可能なプロジェクタおよび同期方法を提供することにある。
【課題を解決するための手段】
【０００５】
上記課題を解決するため、本発明に係るプロジェクタは、複数の光源と、当該光源を駆動する複数の駆動部とを有するプロジェクタにおいて、前記複数の駆動部のうちのマスターとして機能するマスター駆動部は、前記複数の駆動部のうちのスレーブとして機能するスレーブ駆動部に自己の動作クロックまたは当該動作クロックの位相を示す位相情報を出力し、前記スレーブ駆動部は、前記動作クロックまたは前記位相情報に基づき、自己の動作クロックを調整して前記光源を駆動することを特徴とする。
【０００６】
また、本発明に係るプロジェクタは、複数の光源と、当該光源を駆動する複数の駆動部と、当該複数の駆動部を制御する制御部とを有するプロジェクタにおいて、前記複数の駆動部のうちのマスターとして機能するマスター駆動部は、前記制御部に自己の動作クロックまたは当該動作クロックの位相を示す位相情報を出力し、前記制御部は、前記複数の駆動部のうちのスレーブとして機能するスレーブ駆動部に前記動作クロックまたは前記位相情報を出力し、前記スレーブ駆動部は、前記動作クロックまたは前記位相情報に基づき、自己の動作クロックを調整して前記光源を駆動することを特徴とする。
【０００７】
また、本発明に係る同期方法は、それぞれが画像投写用の個別の光源を駆動する複数の駆動部による同期方法において、前記複数の駆動部のうちのマスターとして機能するマスター駆動部は、自己の動作クロックまたは当該動作クロックの位相を示す位相情報を生成し、前記スレーブ駆動部は、前記動作クロックまたは前記位相情報に基づき、自己の動作クロックを調整して前記光源を駆動することを特徴とする。
【０００８】
本発明によれば、スレーブ駆動部が、マスター駆動部の動作クロックと同期して光源を駆動することができるため、プロジェクタは、すべての光源の点灯タイミングを適切に調整することができる。これにより、プロジェクタは、複数の光源を用いて画像を投写する場合の画像のちらつきを抑制することができる。
【０００９】
また、前記マスター駆動部は、前記スレーブ駆動部に前記マスター駆動部の動作クロックの周期を示す周期情報と、前記位相情報とを出力し、前記スレーブ駆動部は、前記周期情報と、前記位相情報とに基づき、前記スレーブ駆動部の動作クロックを調整して前記光源を駆動してもよい。
【００１０】
また、前記マスター駆動部は、前記制御部に前記マスター駆動部の動作クロックの周期を示す周期情報と、前記位相情報とを出力し、前記制御部は、前記スレーブ駆動部に前記周期情報と、前記位相情報とを出力し、前記スレーブ駆動部は、前記周期情報と、前記位相情報とに基づき、前記スレーブ駆動部の動作クロックを調整して前記光源を駆動してもよい。
【００１１】
これによれば、プロジェクタは、スレーブ駆動部の動作クロックの周期がマスター駆動部の動作クロックの周期と異なっている場合であっても、これらの周期を一致させることができるため、すべての光源の点灯タイミングを適切に調整することができる。これにより、プロジェクタは、複数の光源を用いて画像を投写する場合の画像のちらつきを抑制することができる。
【００１２】
また、前記マスター駆動部は、光変調器を駆動する駆動部の動作クロックに関する情報に基づき、前記マスター駆動部の動作クロックを調整してもよい。
【００１３】
これによれば、プロジェクタは、光変調器を駆動する駆動部の動作クロックとすべての駆動部の動作クロックを同期させることができるため、画像のちらつきをより確実に抑制することができる。
【００１４】
また、上記プロジェクタは、前記複数の光源から出射される光を集光する集光部と、前記集光部から出射される光を光源として、画像を投写する投写部と、を含んでもよい。
【００１５】
これによれば、プロジェクタは、複数の光源から出射される光を集光して光源として利用する場合であっても、各光源の点灯タイミングが同期しているため、画像のちらつきを適切に抑制することができる。
【発明を実施するための最良の形態】
【００１６】
以下、本発明をプロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
（第１の実施例）
図１は、第１の実施例におけるプロジェクタ１００の機能ブロック図である。プロジェクタ１００は、光源の一種である３つのランプ１２０−１〜１２０−３と、各ランプ１２０を駆動する駆動部１１０−１〜１１０−３と、各ランプ１２０からの光を集光する集光部１３０と、集光部１３０からの光を光源として画像を投写する投写部１９０と、集光部１３０からの光を投写部１９０に導く導光部１４０を含んで構成されている。
【００１８】
また、投写部１９０は、光変調器の一種である液晶パネル１９４と、液晶パネル１９４を駆動する液晶駆動部１９２と、投写レンズ１９６を含んで構成されている。
【００１９】
なお、これらの各部の機能をプロジェクタ１００に実装するためのハードウェアとしては、例えば、以下のものが採用されてもよい。例えば、駆動部１１０としてはバラスト等、ランプ１２０としては超高圧水銀ランプ等、集光部１３０としては光の方向を揃えるハーフミラー等、導光部１４０としてはインテグレータ、偏光変換光学素子等、液晶駆動部１９２としては液晶駆動回路等が採用されてもよい。
【００２０】
なお、本実施例では、駆動部１１０−１がマスター駆動部として機能し、駆動部１１０−２、１１０−３が、マスター駆動部の動作クロックを基準として同期を取るスレーブ駆動部として機能する。次に、各駆動部１１０における動作クロックの同期方法について説明する。
【００２１】
図２は、第１の実施例における初期状態の動作クロックの波形２０１〜２０３を示す図である。また、図３は、第１の実施例における同期状態の動作クロックの波形２１１〜２１３を示す図である。
【００２２】
例えば、駆動部１１０−１〜１１０−３が同じタイミングでランプ１２０−１〜１２０−３の駆動を開始したとしても、駆動回路の劣化や個体差等により、動作クロックの波形２０１〜２０３が異なり、ランプ１２０−１〜１２０−３の点灯タイミングが異なる場合がある。
【００２３】
マスター駆動部である駆動部１１０−１は、ランプ１２０−１の駆動開始から一定時間経過した後、自己の動作クロックを他の駆動部１１０−１、１１０−２に出力する。なお、ここで、上記一定時間は、駆動部１１０−１の動作クロックが安定するまでの時間である。すなわち、駆動部１１０−１は、安定した状態の動作クロックを他の駆動部１１０−１、１１０−２に出力する。
【００２４】
スレーブ駆動部である駆動部１１０−２、１１０−３は、駆動部１１０−１からの動作クロックを自己の動作クロックとしてランプ１２０−２、１２０−３を駆動する。これにより、各駆動部１１０の動作クロックは、波形２１１〜２１３のように立ち上がりと立ち下がりのタイミングが一致する。
【００２５】
これにより、投写部１９０は、各ランプ１２０の点灯タイミングが微妙にずれることによる画像のちらつきを抑制し、ちらつきの少ない画像を投写することができる。
【００２６】
以上のように、本実施例によれば、スレーブ駆動部が、マスター駆動部の動作クロックと同期してランプ１２０を駆動することができるため、プロジェクタ１００は、すべてのランプ１２０の点灯タイミングを適切に調整することができる。これにより、プロジェクタ１００は、複数の光源を用いて画像を投写する場合の画像のちらつきを抑制することができる。
【００２７】
また、本実施例によれば、プロジェクタ１００は、複数のランプ１２０から出射される光を集光して光源として利用する場合であっても、各ランプ１２０の点灯タイミングが同期しているため、画像のちらつきを適切に抑制することができる。
【００２８】
また、本実施例によれば、駆動部１１０−１が同期の制御を行うことにより、外部に制御部を設ける場合と比べ、プロジェクタ１００の構成を簡略化することができ、低コスト化を実現することができる。
【００２９】
（第２の実施例）
第１の実施例では、駆動部１１０−１が直接動作クロックを駆動部１１０−２、１１０−３に出力したが、他のハードウェアが介在してもよいし、動作クロックに代えて動作クロックの位相を示す情報が用いられてもよい。第２の実施例では、制御部が、駆動部１１０−１の動作クロックの位相情報を駆動部１１０−２、１１０−３に出力する例について説明する。
【００３０】
図４は、第２の実施例におけるプロジェクタ１０１の機能ブロック図である。プロジェクタ１０１は、プロジェクタ１００の構成に加えて制御部１５０を有している。また、プロジェクタ１０１では、液晶駆動部１９２の動作クロックに関する情報（例えば、映像信号の垂直同期パルス、垂直同期周波数等）が駆動部１１０−１に入力される。なお、制御部１５０は、例えば、ＣＰＵ等であってもよい。
【００３１】
次に、第２の実施例における各駆動部１１０における動作クロックの同期方法について説明する。液晶駆動部１９２は、自己の動作クロックに関する情報をマスター駆動部である駆動部１１０−１に出力する。駆動部１１０−１は、当該情報に基づき、液晶駆動部１９２の動作クロックと同期するように、自己の動作クロックを調整する。
【００３２】
そして、駆動部１１０−１は、自己の動作クロックの位相を示す位相情報を制御部１５０に出力する。なお、位相情報は、具体的には、例えば、波形２０１の立ち上がり、立ち下がりのタイミングをクロックカウントで示す情報等であってもよい。
【００３３】
制御部１５０は、当該位相情報を駆動部１１０−２、１１０−３に転送する。駆動部１１０−２、１１０−３は、当該位相情報に基づいて自己の動作クロックの位相を調整する。これにより、各駆動部１１０の動作クロックの位相は調整され、図３に示すように、駆動電流も同期した状態になる。
【００３４】
以上のように、第２の実施例によっても第１の実施例と同様の作用効果を奏する。また、本実施例によれば、プロジェクタ１０１は、液晶駆動部１９２の動作クロックとすべての駆動部１１０の動作クロックを同期させることができるため、画像のちらつきをより確実に抑制することができる。
【００３５】
（その他の実施例）
なお、本発明の適用は上述した実施例に限定されず、種々の変形が可能である。例えば、上述した実施例では、プロジェクタ１００、１０１は、各駆動電流の波形２１１〜２１３を一致させたが、ランプの駆動周波数や、駆動部の回路特性によっては画像のちらつきが発生することが考えられる。このような場合、プロジェクタ１００、１０１は、合成光の輝度がほぼ一定になるように、各駆動電流の位相をずらしてもよい。
【００３６】
図５は、その他の実施例における同期状態の動作クロックの波形２２１、２２２を示す図である。例えば、プロジェクタ１００、１０１は、２つの光源を有している場合、合成光の輝度がほぼ一定になるように、各光源の動作クロックの波形２２１、２２２の位相を１８０度ずらす。プロジェクタ１００、１０１は、このような駆動を行うことにより、画像のちらつきを抑制することができる。なお、波形２２１と波形２２２との位相差は１８０度に限定されず、画像のちらつきを視認できないような位相差であればよい。
【００３７】
また、駆動部１１０−１は、自己の動作クロックの周期情報を他の駆動部１１０−２、１１０−３または制御部１５０に出力してもよい。これによれば、プロジェクタ１００、１０１は、各駆動部１１０の周期が一致していない場合であっても、周期を一致させることができ、画像のちらつきを抑制することができる。
【００３８】
また、プロジェクタ１０１は、液晶駆動部１９２の動作クロックに関する情報を制御部１５０に入力し、制御部１５０が各駆動部１１０の動作クロックを調整してもよい。また、駆動部１１０−１または制御部１５０は、各駆動部１１０の駆動開始および駆動終了を制御してもよい。
【００３９】
また、光源の個数は、２個、３個には限定されず、４個以上であってもよい。また、光源は、超高圧水銀ランプには限定されず、例えば、メタルハライドランプ、キセノンランプ、ＬＥＤ(Light Emitting Diode)等であってもよい。また、集光部１３０は必須の構成ではない。例えば、ランプ１２０−１〜１２０−３が同一方向に光を出射する場合、集光部１３０は不要である。
【００４０】
また、プロジェクタ１００、１０１は、液晶プロジェクタには限定されず、例えば、光変調器としてＤＭＤ(Digital Micromirror Device)を用いたプロジェクタ等であってもよい。なお、ＤＭＤは米国テキサス・インスツルメンツ社の商標である。
【図面の簡単な説明】
【００４１】
【図１】第１の実施例におけるプロジェクタの機能ブロック図である。
【図２】第１の実施例における初期状態の動作クロックの波形を示す図である。
【図３】第１の実施例における同期状態の動作クロックの波形を示す図である。
【図４】第２の実施例におけるプロジェクタの機能ブロック図である。
【図５】その他の実施例における同期状態の動作クロックの波形を示す図である。
【符号の説明】
【００４２】
１００、１０１  プロジェクタ、１１０  駆動部、１２０  ランプ（光源）、１３０  集光部、１４０  導光部、１５０  制御部、１９０  投写部、１９２  液晶駆動部、１９４  液晶パネル、１９６  投写レンズ
【図１】
2009069598.tif 000003
【図２】
2009069598.tif 000004
【図３】
2009069598.tif 000005
【図４】
2009069598.tif 000006
【図５】
2009069598.tif 000007